(57)【特許請求の範囲】
【請求項１】
ロケットに搭載した子弾を放出する装置であって、子弾放出用火薬を装填した燃焼器と、子弾を解放可能に収容した子弾収容室を備えると共に、燃焼器内と子弾収容室とをガス噴射孔を介して連通状態にし、燃焼器に、その内部で直線状に保持した導爆線と、導爆線の点火器を備えると共に、導爆線の周囲に子弾放出用火薬を配置し、且つ前記ガス噴射孔が、子弾放出用火薬と干渉しない位置に設けてあることを特徴とするロケット搭載子弾放出装置。
【請求項２】
ロケットの機軸方向に沿って複数の燃焼器及び燃焼器と同数の子弾収容室を配列すると共に、各燃焼器に対して連続した共通の導爆線を備えたことを特徴とする請求項１に記載のロケット搭載子弾放出装置。
【請求項３】
ロケットの機軸上に燃焼器を配置すると共に、子弾収容室が、ロケットの機軸方向及び円周方向に配列してあることを特徴とする請求項２に記載のロケット搭載子弾放出装置。
【請求項４】
各燃焼器における子弾放出用火薬の量が異なることを特徴とする請求項２又は３に記載のロケット搭載子弾放出装置。
【発明の詳細な説明】
【技術分野】
【０００１】
本発明は、ロケットに搭載した子弾を目的地で放出するのに利用されるロケット搭載子弾放出装置に関するものである。
【背景技術】
【０００２】
従来のロケット搭載子弾放出装置としては、機軸上に直列配置した複数段の燃焼器と、各燃焼器の端部に夫々配置した放出用火薬及びその点火器を備えたものがある。各燃焼器は、その周囲に、複数の子弾を収容したコンテナが配置してあると共に、各コンテナ内部と連通するガス噴射孔を備えている。このロケット搭載子弾放出装置は、点火器により放出用火薬に点火し、その燃焼ガスをガス噴射孔から噴射して、同燃焼ガスの圧力により子弾を放出する。
【０００３】
また、他のロケット搭載子弾放出装置としては、上記装置と同様の燃焼器や子弾のコンテナを備えると共に、各燃焼器の放出用火薬を順次燃焼させる延時点火機構を設けたもの（特許文献１参照）や、第１段の燃焼器を作動させて、その燃焼ガスを利用して第２段以下の燃焼器を順次作動させるもの（特許文献２参照）があった。
【特許文献１】英国特許第１４３４０３４号
【特許文献２】特開２００４−４４８８４号公報
【発明の開示】
【発明が解決しようとする課題】
【０００４】
しかしながら、従来のロケット搭載子弾放出装置では、各燃焼器に放出用火薬を装填して個別に点火する構造、又は各燃焼器の放出用火薬を延時点火機構によって順次燃焼させる構造であったため、いずれの場合も構造が複雑になり易く、構造の簡略化や作動の信頼性をより高めるうえでの改善が要望されていた。
【０００５】
本発明は、上記従来の状況に鑑みてなされたもので、構造の簡略化及び信頼性の向上を実現することができるロケット搭載子弾放出装置を提供することを目的としている。
【課題を解決するための手段】
【０００６】
本発明のロケット搭載子弾放出装置は、ロケットに搭載した子弾を放出する装置であって、子弾放出用火薬を装填した燃焼器と、子弾を解放可能に収容した子弾収容室を備えると共に、燃焼器内と子弾収容室とをガス噴射孔を介して連通状態にし、燃焼器内に、直線状に保持した導爆線とその点火器を備えると共に、導爆線の周囲に子弾放出用火薬を配置し、且つ前記ガス噴射孔が、子弾放出用火薬と干渉しない位置に設けてある構成としており、上記構成をもって課題を解決するための手段としている。
【発明の効果】
【０００７】
本発明のロケット搭載子弾放出装置によれば、構造の大幅な簡略化及び作動の信頼性のさらなる向上を実現することができ、これらの利点を備えたうえで複数の子弾の搭載及び放出にも容易に対処することができる。
【発明を実施するための最良の形態】
【０００８】
以下、図面に基づいて、本発明のロケット搭載子弾放出装置の一実施形態を説明する。
図１に示すロケット搭載子弾放出装置１は、ロケットＲに搭載した複数の子弾Ｓを放出するものであって、子弾放出用火薬２を装填した燃焼器３と、子弾Ｓを解放可能に収容した子弾収容室４を備えると共に、燃焼器３内と子弾収容室４とをガス噴射孔５を介して連通状態にした構造を有している。
【０００９】
この実施形態のロケット搭載子弾放出装置１は、ロケットＲの機軸Ｌ上に三個の燃焼器３を直列配置すると共に、各燃焼器３を中心とする扁平円筒状の三基のコンテナＣを備えている。
【００１０】
コンテナＣは、円周方向に複数の子弾収容室４を有しており、ロケットＲの機軸方向に並べて配置してある。これにより、子弾収容室４は、ロケットＲの機軸方向及び円周方向に配列されている。
【００１１】
各子弾収容室４は、子弾Ｓを解放可能に収容すると共に、ロケット外周部において開放又は分離可能な外板等を設けて開放可能にしてある。上記の如くロケットＲの機軸方向及び円周方向に子弾収容室４を配列して子弾Ｓを収容することで、より効果的な子弾Ｓの散布が可能となる。なお、子弾Ｓは、子弾収容室４において、例えばシアピン等で保持しておくことも良い。
【００１２】
各燃焼器３は、円筒状を成す容器であって、順に連結され、図２にも示すように、中心線上に導爆線６が直線状に保持してある。この導爆線６は、各燃焼器３に対して連続した共通の部品であり、各燃焼器３の中心を貫通した状態で装着してある。
【００１３】
そして、図１中で左側であるロケット頭部側の燃焼器３において、導爆線６の端部に点火器７が設けてあると共に、各燃焼器３において、導爆線６の周囲に子弾放出用火薬２が配置してある。ガス噴射孔５は、燃焼器３において、子弾放出用火薬２と干渉しない位置に設けてある。
【００１４】
上記構成を備えたロケット搭載子弾放出装置１は、ロケットＲが飛翔して目的地に到達した段階で、点火器７で導爆線６を起爆し、その爆発エネルギで各燃焼器３の子弾放出用火薬２にほぼ同時に点火する。これにより、各燃焼器３において、子弾放出用火薬２の燃焼ガスがガス噴射孔５から噴射され、その圧力により各子弾収容室４から子弾Ｓが一斉に放出されることとなる。
【００１５】
このように、上記のロケット搭載子弾放出装置１は、燃焼器３の個数に関わらず、点火系が一つの点火器７と一本の導爆線４のみであるため、構造が非常に簡単であって、生産性に優れている。また、導爆線６の燃焼速度が非常に速いので、複数の燃焼器３を作動させる場合でも、斉一性に優れるとともに作動の信頼性が極めて高いものとなる。
【００１６】
ところで、上記の如く点火系に導爆線を用いた放出装置は、例えばレーダーチャフのような多数の小片や粉体を飛散させる場合には、導爆線の爆発エネルギだけで小片や粉体を飛散させる構成にすることは可能であるが、これらよりも明らかに質量が大きい子弾を充分な速度で放出することは困難である。
【００１７】
これに対して、当該ロケット搭載子弾放出装置１は、各燃焼器３において、導爆線６の周囲に子弾放出用火薬２を配置することで、子弾Ｓを充分な速度で放出するのに必要な燃焼ガスの圧力を発生させることができる。
【００１８】
図３は本発明のロケット搭載子弾放出装置の他の実施形態を説明する図である。なお、先の実施形態と同一の構成部位は、同一符号を付して詳細な説明を省略する。
【００１９】
図示のロケット搭載子弾放出装置１は、先の実施形態では各燃焼器３に同量の子弾放出用火薬２を装填していたのに対して、各燃焼器３における子弾放出用火薬２の量が異なっている。そして、この実施形態では、図１中で左側であるロケット頭部側から順に子弾放出用火薬２の量を増加したものとなっている。
【００２０】
上記のロケット搭載子弾放出装置１は、先の実施形態と同等の作用及び効果を得ることができるうえに、各燃焼器３の子弾放出用火薬２の量を異ならせたことで、個々の子弾Ｓの放出距離を変えることができ、とくに、図示例の如く子弾放出用火薬２の量を順に増加させた場合には、後段になるほど放出距離が大きくなり、放出した各子弾Ｓを互いに干渉させることなく効果的に散布することができる。
【００２１】
なお、本発明に係わるロケット搭載子弾放出装置は、その構成が上記実施形態に限定されるものではなく、例えば、燃焼器や子弾収容室の形状や個数といった構成の細部を適宜変更することができる。
【図面の簡単な説明】
【００２２】
【図１】本発明のロケット搭載子弾放出装置の一実施形態を説明する要部の断面図である。
【図２】燃焼器の拡大断面図である。
【図３】本発明のロケット搭載子弾放出装置の他の施形態を説明する要部の断面図である。
【符号の説明】
【００２３】
Ｒ    ロケット
Ｓ    子弾
１    ロケット搭載子弾放出装置。
２    子弾放出用火薬
３    燃焼器
４    子弾収容室
５    ガス噴射孔
６    導爆線
７    点火器
【図１】
0005325468.tif 000002
【図２】
0005325468.tif 000003
【図３】
0005325468.tif 000004